(57)【特許請求の範囲】
【請求項１】
素材データを符号化して記録媒体に収録すると共に、符号化データから収録素材の収録開始から収録終了までのクリップを含むヘッダ部及び前記符号化データ自体を含む本体部を備える規格化されたファイル構造の転送データを生成して編集装置に転送する素材処理装置において、
前記符号化データを解析し、当該符号化データを前記編集装置に転送可能なデータ量となるタイムラインに分割し、タイムラインごとに前記編集装置への送出順序を示すタイムライン情報を前記ファイルのヘッダ部に挿入するヘッダ生成手段と、
このヘッダ生成手段により生成されるヘッダ部に続く本体部に、前記タイムライン情報に対応する分割データを挿入して１ファイルの転送データを生成し前記編集装置に出力するファイル生成手段と、
このファイル生成手段による１ファイルの転送データの生成完了後に、前記タイムラインごとに前記クリップ全体のタイムライン情報と、１ファイル前の転送データに連結するために必要なリンク情報とを組み合わせたクリップ情報ファイルを生成して前記編集装置に出力するクリップ情報ファイル生成手段とを具備したことを特徴とする素材処理装置。
【請求項２】
前記ヘッダ生成手段は、前記符号化データのうち、映像、音声及びアンシラリのそれぞれについてタイムラインに分割し、タイムラインごとに前記タイムライン情報を前記ファイルのヘッダ部に挿入し、
前記ファイル生成手段は、映像、音声及びアンシラリのそれぞれについて、前記ヘッダ生成手段により生成されるヘッダ部に続く本体部に、前記タイムライン情報に対応する分割データを挿入して１ファイルの転送データを生成し前記編集装置に出力することを特徴とする請求項１記載の素材処理装置。
【請求項３】
素材データを符号化して記録媒体に収録すると共に、符号化データから収録素材の収録開始から収録終了までのクリップを含むヘッダ部及び前記符号化データ自体を含む本体部を備える規格化されたファイル構造の転送データを生成して編集装置に転送する素材処理方法において、
前記符号化データを解析し、当該符号化データを前記編集装置に転送可能なデータ量となるタイムラインに分割し、タイムラインごとに前記編集装置への送出順序を示すタイムライン情報を前記ファイルのヘッダ部に挿入し、
このヘッダ部に続く本体部に、前記タイムライン情報に対応する分割データを挿入して１ファイルの転送データを生成し前記編集装置に出力し、
前記１ファイルの転送データの生成完了後に、前記タイムラインごとに前記クリップ全体のタイムライン情報と、１ファイル前の転送データに連結するために必要なリンク情報とを組み合わせたクリップ情報ファイルを生成して前記編集装置に出力することを特徴とする素材処理方法。
【発明の詳細な説明】
【技術分野】
【０００１】
この発明は、例えば放送番組で使用する映像／音声等の素材を収録する際に、編集装置に各素材をファイル化して転送する素材処理装置及び素材処理方法に関する。
【背景技術】
【０００２】
周知のように、放送番組送出システムにあっては、放送番組の送出素材を予め記録再生装置に格納しておき、再生指示に従って該当する素材を再生し、オンエアを行うようになっている。このようなオンエア処理において、通常、オンエア前にオンエア順序に従った素材の確認作業が行われている。
【０００３】
この素材確認作業は、記録再生装置により素材収録と同時に、収録すべき素材をＭＸＦ(material exchange format)ファイルに変換して編集装置に転送することにより行なわれる。
【０００４】
ところで、収録中の素材をＭＸＦファイル化する際、素材長が長い素材の場合、１つのＭＸＦファイルに収まらず、データ転送可能なデータ量となるタイムラインごとに素材を分割することになり、複数のＭＸＦファイルとなる場合がある。この場合、複数のＭＸＦファイルそれぞれのヘッダ部に、全収録素材のタイムライン情報が記録されることになる。
【０００５】
このため、収録素材のデータ構成を変更する必要がある場合に、各ＭＸＦファイルのヘッダ部に記録される全収録素材のタイムライン情報を修正しなければならず、オペレータにとっては煩雑な作業が強いられる。
【０００６】
なお、この種の問題に関連する従来技術として、特許文献１に、光ディスクに記録されるコンテンツデータから当該コンテンツに関するクリップ情報を抽出して管理する構成が示されている。但し、この特許文献１に記載のものは、光ディスクからデータをスムーズに再生することを目的としており、収録素材のデータ構成の変更に伴い、各ＭＸＦファイルのヘッダ部の修正に関するものではない。
【特許文献１】特開２００５−４８６８公報。
【発明の開示】
【発明が解決しようとする課題】
【０００７】
以上述べたように、従来の記録再生装置では、収録素材のデータ構成を変更する必要がある場合に、各ＭＸＦファイルのヘッダ部に記録される全収録素材のタイムライン情報を修正しなければならず、オペレータにとっては煩雑な作業が強いられる。特に、ＭＸＦファイルの数が多いほど顕著となる。
【０００８】
そこで、この発明の目的は、収録素材のデータ構成の変更に合わせて、タイムライン情報の修正を簡単かつ短時間に行ない得る素材処理装置及び素材処理方法を提供することにある。
【課題を解決するための手段】
【０００９】
上記目的を達成するために、この発明に係る素材処理装置は、素材データを符号化して記録媒体に収録すると共に、符号化データから収録素材の収録開始から収録終了までのクリップを含むヘッダ部及び符号化データ自体を含む本体部を備える規格化されたファイル構造の転送データを生成して編集装置に転送する素材処理装置において、符号化データを解析し、当該符号化データを編集装置に転送可能なデータ量となるタイムラインに分割し、タイムラインごとに編集装置への送出順序を示すタイムライン情報をファイルのヘッダ部に挿入するヘッダ生成手段と、このヘッダ生成手段により生成されるヘッダ部に続く本体部に、タイムライン情報に対応する分割データを挿入して１ファイルの転送データを生成し編集装置に出力するファイル生成手段と、このファイル生成手段による１ファイルの転送データの生成完了後に、タイムラインごとにクリップ全体のタイムライン情報と、１ファイル前の転送データに連結するために必要なリンク情報とを組み合わせたクリップ情報ファイルを生成して編集装置に出力するクリップ情報ファイル生成手段とを備えるようにしたものである。
【００１０】
この構成によれば、収録中の素材をファイル化して転送しようとする場合に、映像・音声・アンシラリの各ファイルのヘッダ部にはクリップ全体のタイムライン情報を記録せずに、そのファイル自身のタイムライン情報のみを記録し、これらファイルとは別に、クリップ全体のタイムライン情報とリンク情報のみを記録するクリップ情報ファイルを新たに生成して編集装置に出力するようにしている。
【００１１】
従って、編集装置では、収録素材のデータ構成の変更に合わせて、クリップ情報ファイルを修正するだけでよく、これによりタイムライン情報の修正を簡単かつ短時間に行なうことができる。
【発明の効果】
【００１２】
以上詳述したようにこの発明によれば、収録素材のデータ構成の変更に合わせて、タイムライン情報の修正を簡単かつ短時間に行ない得る素材処理装置及び素材処理方法を提供することができる。
【発明を実施するための最良の形態】
【００１３】
以下、この発明の実施形態について図面を参照して詳細に説明する。  
図１は、この発明の一実施形態となる映像音声記録再生装置とその周辺構成を示すブロック図である。図１において、符号１は映像音声記録再生装置で、エンコーダ１１と、ＭＸＦ化部１２とを備えている。また、映像音声記録再生装置１には、ディスク等といった収録用メディアＭが着脱可能となるように装着される。さらに、映像音声記録再生装置１には、編集機２が接続される。
【００１４】
映像音声記録再生装置１に入力される映像信号、音声信号及びアンシラリ信号は、エンコーダ１１により圧縮符号化されて収録用メディアＭに収録される。この収録と同時に、エンコーダ１１の出力は、ＭＸＦ化部１２によってＭＸＦファイルに変換されて編集機２に出力される。以下では、素材の収録開始から終了までの部分をクリップと定義する。
【００１５】
ＭＸＦ化部１２は、ヘッダ生成機能１２１と、ファイル生成機能１２２と、クリップ情報生成機能１２３とを備えている。ヘッダ生成機能１２１は、映像、音声及びアンシラリの符号化データを解析処理してタイムラインに分割し、タイムラインごとに編集機２への送出順序を示すタイムライン情報をＭＸＦファイルのヘッダ部に挿入する。
【００１６】
ファイル生成機能１２２は、映像、音声及びアンシラリのそれぞれについて、ヘッダ生成機能１２１により生成されるヘッダ部に続くボディ部に、タイムライン情報に対応する分割データを挿入してＭＸＦファイルを生成し編集機２に出力する。
【００１７】
クリップ情報生成機能１２３は、上記ファイル生成機能１２２によるＭＸＦファイル生成完了後に、タイムラインごとにクリップ全体のタイムライン情報と、１ファイル前のＭＸＦファイルに連結するために必要なリンク情報とを組み合わせたクリップ情報ＭＸＦファイルを生成して編集機２に出力する。
【００１８】
上記構成において、以下にＭＸＦファイルの転送処理について説明する。
【００１９】
図２は、ＭＸＦファイルの構造を示すものである。ＭＸＦファイルの構成は大きく分けて、ヘッダ部、ボディ部、フッタ部から成る。ヘッダ部には、主にメタデータが記述されるが、メタデータはさらに、マテリアルパッケージやファイルパッケージなどから成る。
【００２０】
ファイルパッケージは入力された素材の情報で、マテリアルパッケージは出力されるクリップのタイムライン情報である。ボディ部は、主に映像・音声・アンシラリ等のデータ本体を格納する。フッタ部は主にインデックス情報が入る（以上、SMPTE377M）。
【００２１】
ＭＸＦファイルにはいくつかの形式（オペレーショナルパターン）が存在するが、ここでは、OP-Atomという形式のＭＸＦファイルを前提とする。OP-Atomは一つのファイルに一つのトラックの情報だけを記録するという形式である（以上、SMPTE390M）。以下では、素材が映像・音声・アンシラリの３つのトラックからなる場合を例にして説明する。
【００２２】
収録中の素材をＭＸＦファイル化する際、素材長が長い素材の場合は、各トラックが１個のＭＸＦファイルに収まらず、複数のＭＸＦファイルとなる場合がある。
【００２３】
このような場合、従来は図３に示すように、ｉ番目の各ＭＸＦファイルのマテリアルパッケージには１〜ｉ番目までの全データのタイムライン情報を記録していた。この方式では、クリップを構成する全てのＭＸＦファイルに、クリップのタイムライン情報が分散されることになる。
【００２４】
なお、ここでは、同一番号の映像・音声・アンシラリの各ＭＸＦファイルは同期が取れており、フレーム数は同じであるものとする。
【００２５】
そこで、この実施形態では、図４に示すように、各トラックのＭＸＦファイルのマテリアルパッケージには、自身のタイムライン情報のみを記録するものとする。さらに、これらの各トラックのＭＸＦファイルに加え、図５に示すようなクリップ全体のタイムライン情報と、各ＭＸＦファイルへのリンク情報を記述したＭＸＦファイル（これを仮に、クリップ情報ＭＸＦファイルと呼ぶことにする）を作成する。このクリップ情報ＭＸＦファイルは、ｉ番目の全トラックのＭＸＦファイルの作成が完了する度ごとに、更新して転送するものとする。この構成では、クリップ全体の情報はクリップ情報ＭＸＦファイルだけに集約されることになる。
【００２６】
図６は、ＭＸＦ化部１２によるＭＸＦファイルの生成処理動作を示すフローチャートである。
【００２７】
まず、ＭＸＦ化部１２は、収録中にある映像、音声、アンシラリそれぞれの符号化データの内容を解析し（ステップＳＴ６ａ）、素材長が編集機２への転送可能なデータ量を超える場合に、各符号化データを複数のタイムラインに分割し（ステップＳＴ６ｂ）、タイムラインごとに、ファイル自身のタイムライン情報をヘッダ部のメタデータに挿入する（ステップＳＴ６ｃ）。
【００２８】
続いて、ＭＸＦ化部１２は、ヘッダ部に続くボディ部に映像、音声、アンシラリそれぞれの符号化データ本体を挿入し（ステップＳＴ６ｄ）、１つのＭＸＦファイルを生成して編集機２に出力する（ステップＳＴ６ｅ）。
【００２９】
１つのＭＸＦファイルの生成完了後に、ＭＸＦ化部１２はタイムラインごとにクリップ全体のタイムライン情報と、１ファイル前のＭＸＦファイルに連結するために必要なリンク情報とを組み合わせたクリップ情報ＭＸＦファイルを生成して編集機２に出力する（ステップＳＴ６ｆ）。
【００３０】
以上のステップＳＴ６ａ乃至ステップＳＴ６ｆの処理が、収録完了となるまで繰り返し実行されることになる。
【００３１】
以上のように上記実施形態では、収録中の素材をＭＸＦファイル化して転送しようとする場合に、ＭＸＦ化部１２のヘッダ生成機能１２１により映像・音声・アンシラリの各ＭＸＦファイルのヘッダ部にはクリップ全体のタイムライン情報を記録せずに、そのファイル自身のタイムライン情報のみを記録し、クリップ情報生成機能１２３によりこれらＭＸＦファイルとは別に、クリップ全体のタイムライン情報とリンク情報のみを記録するクリップ情報ＭＸＦファイルを新たに生成して編集機２に出力するようにしている。
【００３２】
従って、クリップ全体の情報を集約することにより、クリップへのトラックの追加や削除などの変更が、クリップ情報ＭＸＦファイル内の変更だけで済むことになる。また、既存のトラックのＭＸＦファイルを組み合わせて、新しいクリップを作成したい場合は、新たなクリップ情報ＭＸＦファイルを作成し、そこに新しいクリップのタイムライン情報とリンク情報を記述するだけでよいので、比較的容易に実現できる。
【００３３】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】この発明の一実施形態となる映像音声記録再生装置とその周辺構成を示すブロック図。
【図２】同実施形態におけるＭＸＦファイルの構造を示す図。
【図３】以前に行われていたＭＸＦファイルの転送動作を説明するために示すタイミング図。
【図４】同実施形態における映像、音声、アンシラリのＭＸＦファイルの転送動作を説明するために示すタイミング図。
【図５】同実施形態におけるクリップ情報ＭＸＦファイルの転送動作を説明するために示すタイミング図。
【図６】同実施形態におけるＭＸＦファイルの生成処理動作を示すフローチャート。
【符号の説明】
【００３５】
１…映像音声記録再生装置、２…編集機、１１…エンコーダ、１２…ＭＸＦ化部、１２１…ヘッダ生成機能、１２２…ファイル生成機能、１２３…クリップ情報生成機能。
【図１】
0004664993.tif 000002
【図２】
0004664993.tif 000003
【図３】
0004664993.tif 000004
【図４】
0004664993.tif 000005
【図５】
0004664993.tif 000006
【図６】
0004664993.tif 000007